(57)【要約】【課題】車載機器において表示部を利用する他の処理と並行して処理を実行させる際の操作性を携帯端末にて補うことのできる「車載機器システム」を提供することである。【解決手段】車載機器１００と携帯端末２０とが通信可能に接続されてなる車載機器システムであって、車載機器１００は、１のユニット１７が他のユニット１８の処理と並行して処理を実行する際に、当該１のユニット１７での処理で用いられる情報を操作入力させるための操作基情報を前記携帯端末に送る操作基情報提供手段（３）を有し、前記携帯端末は、前記操作基情報に基づいた操作画面を表示させる操作画面表示制御手段と、前記操作画面での操作に基づいた入力情報を前記車載機器に送る入力情報提供手段（４）とを有し、前記１のユニット１７は、前記携帯端末２０から送られてくる入力情報を用いて前記処理を実行する車載機器システム。【選択図】図２
2012154759.tif 000002
【特許請求の範囲】
【請求項１】
処理を行う複数のユニット及び表示部を有する車載機器と、該車載機器と通信可能に接続される携帯端末とを備えた車載機器システムであって、
前記車載機器は、１のユニットが前記表示部を利用する他のユニットの処理と並行して処理を実行する際に、当該１のユニットでの処理で用いられる情報を操作入力させるための操作基礎情報を前記携帯端末に送る操作基礎情報提供手段を有し、
前記携帯端末は、前記操作基礎情報に基づいた操作画面を表示させる操作画面表示制御手段と、
前記操作画面での操作に基づいた入力情報を前記車載機器に送る入力情報提供手段とを有し、
前記車載機器における前記１のユニットは、前記携帯端末から送られてくる入力情報を用いて前記処理を実行する車載機器システム。
【請求項２】
前記車載機器において、
前記１のユニットは、楽曲の再生処理を行うＡＶユニットであり、
前記操作基礎情報提供手段は、前記ＡＶユニットによって再生可能な楽曲を特定するための楽曲特定情報を前記操作基礎情報として前記携帯端末に送り、
前記携帯端末において、
前記操作画面表示制御手段は、前記楽曲特定情報に基づいて再生すべき楽曲を指定するための操作画面を表示させ、
前記入力情報提供手段は、前記操作画面での指定操作にて指定された楽曲を特定するための楽曲指定入力情報を前記入力情報として前記車載機器に送る請求項１記載の車載機器システム。
【請求項３】
処理を行う複数のユニット及び表示部を有し、携帯端末と通信可能に接続される車載機器であって、
１のユニットが前記表示部を利用する他のユニットの処理と並行して処理を実行する際に、当該１のユニットでの処理で用いられる情報を操作入力させるための操作基礎情報を前記携帯端末に送る操作基礎情報提供手段を有する車載機器。
【請求項４】
処理を行う複数のユニット及び表示部を有する車載機器と通信可能に接続される携帯端末であって、
前記車載機器におけるユニットでの処理で用いられる情報を操作入力させるための操作基礎情報に基づいた操作画面を表示させる操作画面表示制御手段と、
前記操作画面での操作に基づいた入力情報を前記車載機器に送る入力情報提供手段とを有する携帯端末。
【発明の詳細な説明】
【技術分野】
【０００１】
本発明は、ＡＶ・ナビゲーション機器等の車載機器とスマートフォン等の携帯端末とが接続された構成となる車載機器システムと、その車載機器システムを構成する当該車載機器及び携帯端末に関する。
【背景技術】
【０００２】
従来、カーナビゲーション装置と、該カーナビゲーション装置に通信可能に接続された携帯端末とにより構成されたシステムが提案されている（特許文献１参照）。このシステムでは、ナビゲーション装置の表示画面に表示すべき複数のウィンドウの少なくとも１つを分離して、携帯端末の表示画面に表示させている。例えば、ナビゲーション装置の表示画面において案内ルートを含む地図を表示したウィンドウ上に重ねて表示されるべき交差点の拡大ウィンドウを分離して、その交差点の拡大ウィンドウを携帯端末の表示画面に表示させている。このようなシステムによれば、ナビゲーション装置の表示画面に表示される案内ルートの示されたウィンドウをより視認し易くすることができる。
【先行技術文献】
【特許文献】
【０００３】
【特許文献１】特開２００５−２８４８８６号公報
【発明の概要】
【発明が解決しようとする課題】
【０００４】
ところで、ナビゲーションユニット及びＡＶユニットなど、複数の異なるユニットを有する車載機器では、２つのユニットを同時に動作させる場合がある。この場合、一方のユニットによる処理にて表示画面が利用されている場合、他方のユニットの処理での当該表示画面の利用が制限される。例えば、一方のユニットによる処理にて表示画面が利用されている際に、他方のユニットの処理での操作画面表示が制限されると、当該他方のユニットの操作性が犠牲になってしまう。
【０００５】
前述したような車載機器と携帯端末とを接続したシステムは、車載機器で表示すべき画像の一部を携帯端末の画面に表示させるものではあるが、携帯端末が車載機器での処理の操作性を補うものとはなっていない。
【０００６】
本発明は、このような事情に鑑みてなされたもので、車載機器において表示部を利用する他の処理と並行して処理を実行させる際の操作性を携帯端末にて補うことのできる車載機器システムを提供するものである。
【０００７】
また、本発明は、そのような車載機器システムを構成する車載機器及び携帯端末を提供するものである。
【課題を解決するための手段】
【０００８】
本発明に係る車載機器システムは、処理を行う複数のユニット及び表示部を有する車載機器と、該車載機器と通信可能に接続される携帯端末とを備えた車載機器システムであって、前記車載機器は、１のユニットが前記表示部を利用する他のユニットの処理と並行して処理を実行する際に、当該１のユニットでの処理で用いられる情報を操作入力させるための操作基礎情報を前記携帯端末に送る操作基礎情報提供手段を有し、前記携帯端末は、前記操作基礎情報に基づいた操作画面を表示させる操作画面表示制御手段と、前記操作画面での操作に基づいた入力情報を前記車載機器に送る入力情報提供手段とを有し、前記車載機器における前記１のユニットは、前記携帯端末から送られてくる入力情報を用いて前記処理を実行する構成となる。
【０００９】
このような構成により、車載機器において１のユニットが表示部を利用する他のユニットの処理と並行して処理を実行する際に、前記１のユニットでの処理に用いられる情報を操作入力させるための操作基礎情報に基づいた操作画面が携帯端末に表示され、その操作画面での操作に基づいた入力情報を用いて車載機器側の前記１のユニットが処理を実行するので、車載機器の前記第１のユニットが処理を実行する際の操作を携帯端末にて行うことができる。
【００１０】
本発明に係る車載機器システムでは、前記車載機器において、前記１のユニットは、楽曲の再生処理を行うＡＶユニットであり、前記操作基礎情報提供手段は、前記ＡＶユニットによって再生可能な楽曲を特定するための楽曲特定情報を前記操作基礎情報として前記携帯端末に送り、前記携帯端末において、前記操作画面表示制御手段は、前記楽曲特定情報に基づいて再生すべき楽曲を指定するための操作画面を表示させ、前記入力情報提供手段は、前記操作画面での指定操作にて指定された楽曲を特定するための楽曲指定入力情報を前記入力情報として前記車載機器に送る構成とすることができる。
【００１１】
このような構成により、車載機器においてＡＶユニットが表示部を利用する他のユニットの処理と並行して楽曲の再生処理を行う際に、ＡＶユニットによって再生可能な楽曲を特定するための楽曲特定情報に基づいた操作画面が携帯端末に表示され、その操作画面での指定操作により指定された楽曲を特定するための楽曲指定入力情報を用いて車載機器側のＡＶユニットが楽曲の再生処理を行うことができるので、車載機器のＡＶユニットが楽曲の再生処理を実行する際の操作を携帯端末にて行うことができる。
【００１２】
本発明に係る車載機器は、処理を行う複数のユニット及び表示部を有し、携帯端末と通信可能に接続される車載機器であって、１のユニットが前記表示部を利用する他のユニットの処理と並行して処理を実行する際に、当該１のユニットでの処理で用いられる情報を操作入力させるための操作基礎情報を前記携帯端末に送る操作基礎情報提供手段を有する構成となる。
【００１３】
このような構成により、車載機器において１のユニットが表示部を利用する他のユニットの処理と並行して処理を実行する際に、前記１のユニットでの処理に用いられる情報を操作入力させるための操作基礎情報が携帯端末に送られるので、携帯端末において前記操作基礎情報に基づいた操作画面を表示させることができるようになる。
【００１４】
本発明に係る携帯端末は、処理を行う複数のユニット及び表示部を有する車載機器と通信可能に接続される携帯端末であって、前記車載機器におけるユニットでの処理で用いられる情報を操作入力させるための操作基礎情報に基づいた操作画面を表示させる操作画面表示制御手段と、前記操作画面での操作に基づいた入力情報を前記車載機器に送る入力情報提供手段とを有する構成となる。
【００１５】
このような構成により、車載機器におけるユニットでの処理で用いられる情報を操作入力させるための操作基礎情報に基づいた操作画面が表示され、その操作画面での操作に基づいた入力情報が車載機器に送られるので、車載機器の前記ユニットが入力情報を用いて処理を実行することができるようになる。
【発明の効果】
【００１６】
本発明に係る車載機器システムによれば、車載機器において１のユニットが表示部を利用する他のユニットの処理と並行して処理を実行する際の操作を携帯端末にて行うことができるので、車載機器において表示部を利用する他の処理と並行して処理を実行させる際の操作性を携帯端末にて補うことができるようになる。
【図面の簡単な説明】
【００１７】
【図１】本発明の実施の形態にかかる車載機器システム及びその車載機器システムを構成する主催機器及び携帯端末（スマートフォン）を示すブロック図である。
【図２】図１に示す車載機器システムでの処理手順を示すシーケンス図である。
【図３】図１に示す車載機器の表示部における車両ナビゲーション画像の一例を示す図である。
【図４】スマートフォンにおいて実行可能なアプリケーションの一覧を表すホーム画面の一例を示す図である。
【図５】スマートフォンに表示された車載機器側のＡＶユニットによる楽曲再生処理の実行に用いられる操作画面の一例を示す図である。
【図６】スマートフォンに表示された車載器側のＡＶユニットによる楽曲再生処理の実行に用いられる操作画面の他の一例を示す図である。
【発明を実施するための形態】
【００１８】
以下、本発明の実施の形態について図面を用いて説明する。
【００１９】
本発明の実施の形態に係る車載機器システムは、図１に示すように構成される。
【００２０】
図１において、車載機器１００は外部機器接続用のコネクタ１９を有し、コネクタ１９にはケーブルによってスマートフォン２０（携帯端末）が接続可能になっている。車載機器１００は、コンピュータユニット（ＣＰＵを含む）にて構成される処理ユニット１１を有しており、処理ユニット１１には、ＣＤやＤＶＤ等のディスク媒体から音楽や映像を再生するＡＶユニット１７及び車両ナビゲーション処理を行うナビゲーションユニット１８が接続されている。更に、処理ユニット１１には、ＡＶユニット１７にて利用される情報、ナビゲーションユニット１８にて利用される情報（地図情報、施設情報等）、及びその他各種情報を記憶するための記憶部１４（例えば、ハードディスク）、車室内に設けられ、ＬＣＤ等により構成される表示部１３、操作ボタンや表示部１３内に構成されるタッチパネル等からなる操作部１２、及び車室内に設けられたスピーカ１６に音声信号を供給する出力回路１５が接続されている。
【００２１】
スマートフォン２０がケーブルにて接続されるコネクタ１９は、処理ユニット１１に接続され、処理ユニット１１は、ケーブル及びコネクタ１９を介してスマートフォン２０と通信可能となっている。スマートフォン２０は、ナビゲーションアプリケーション、情報検索アプリケーション、ゲームアプリケーション、更に、車載機器１００に設けられるＡＶユニット１７の操作を可能にするオーディオ操作アプリケーション等、の種々のアプリケーションを備えている。
【００２２】
この車載機器１００とスマートフォン２０とが通信可能に接続された車載機器システムでは、例えば、図２に示すシーケンス図に示す手順に従って処理がなされる。車載機器１００では、処理ユニット１１の制御のもと、ナビゲーションユニット１８（他のユニット）が車両ナビゲーション処理（他の処理）を実行し、ＡＶユニット１７（１のユニット）がＣＤ等の媒体から楽曲の再生処理（１のユニットによる処理）を実行する。
【００２３】
図２において、車載機器１００では、ナビゲーションユニット１８が車両ナビゲーション処理を行って、表示部１３に、例えば、図３に示すような車両ナビゲーションに係る画像表示がなされる（Ｓ１１）。このような状況において、操作部１２にて利用者によるオーディオの再生操作がなされると、処理ユニット１１は、その操作に従って、例えば、ＣＤからの楽曲の再生処理を開始する（Ｓ２１）。なお、前記オーディオの再生処理では、ＣＤからの楽曲を再生することとしたが、もちろん、記憶部１４に記憶された楽曲情報を取得してその楽曲情報を用いた楽曲の再生処理でもよい。
【００２４】
その後、処理ユニット１１は、スマートフォン２０との接続を確認すると（Ｓ２２）、スマートフォン２０に対してオーディオ操作アプリケーションの起動要求を送る（１）。
【００２５】
車載機器１００に接続されるスマートフォン２０では、当該スマートフォン２０にて実行可能なアプリケーションの一覧を表す、例えば、図４に示すようなホーム画面３１が表示されている（Ｓ３１）。スマートフォン２０は、この状態で車載機器１００から前記オーディオ操作アプリケーションの起動要求を受けると、その要求に係るオーディオ操作アプリケーションを備えていることを確認し、当該オーディオ操作アプリケーションを開始する旨の応答を車載機器１００に送る（２）。車載機器１００の処理ユニット１１は、スマートフォン２０からオーディオ操作アプリケーションの開始応答を受けると、ＡＶユニット１７により再生可能な楽曲を特定するための楽曲名リストやアルバム名等の楽曲特定情報を楽曲の再生処理で用いられる情報（再生すべき楽曲を特定する情報）を操作入力させるための操作基礎情報としてスマートフォン２０に送る（３：操作基礎情報提供手段）。
【００２６】
スマートフォン２０は、前述したようにオーディオ操作アプリケーションの開始応答を車載機器１００に送った後に、車載機器１００から前記楽曲特定情報（楽曲名リスト、アルバム名等）を受けると、オーディオ操作アプリケーションを起動させる（Ｓ３２）。そして、スマートフォン２０では、オーディオ操作アプリケーションが前記楽曲特定情報に基づいて再生すべき楽曲を指定するための操作画面を表示させる処理を行う（操作画面表示制御手段）。その結果、スマートフォン２０では、例えば、図５に示すような複数の楽曲を含むアルバムを特定するアルバム名のリストや、図６に示すように楽曲を特定する楽曲名のリストが再生すべき楽曲を指定するための操作画面として表示される。
【００２７】
利用者が、スマートフォン２０に表示された操作画面（図５、図６参照）において楽曲名やアルバム名の指定操作を行うと、スマートフォン２０は、その指定操作にて指定された楽曲名やアルバム名をオーディオ操作入力情報（楽曲指定入力情報）として車載装置１００に送る（４：入力情報提供手段）。車載機器１００では、処理ユニット１１がスマートフォン２０からオーディオ操作入力情報を受け、その処理ユニット１１の制御のもと、ＡＶユニット１７が、前記オーディオ操作入力情報にて特定される楽曲の再生処理を行う。その結果、利用者が指定した楽曲名の楽曲（例えば、図６に示す楽曲リストにて指定されたＤｓｏｎｇ）や利用者が指定したアルバム（例えば、図５に示すアルバムリストにて指定されたＳｎｏｗ  Ｓｅｌｅｃｔｉｏｎ）の複数の楽曲が再生されてスピーカ１６から音声出力される。
【００２８】
前述したような車載機器システムでは、車載機器１００において、表示部１３を利用するナビゲーションユニット１８での車両ナビゲーション処理と並行してＡＶユニット１７が楽曲の再生処理を行う際に、ＡＶユニット１７によって再生可能な楽曲を特定するための楽曲特定情報（楽曲名、アルバム名）に基づいた操作画面（楽曲名のリスト、アルバム名のリスト）がスマートフォン２０に表示され、その操作画面での指定操作により指定された楽曲を特定するための楽曲指定入力情報（楽曲名、アルバム名）を用いて車載機器１００側のＡＶユニット１７が楽曲の再生処理を行うことができるので、車載機器１００のＡＶユニット１７が楽曲の再生処理を実行する際の操作をスマートフォンにて行うことができる。このように、車載機器１００において表示部１３を利用するナビゲーションユニット１８の車両ナビゲーション処理と並行してＡＶユニット１７が楽曲の再生処理を実行する際の操作をスマートフォン２０にて行うことができるので、車載機器１００において表示部１３を利用する車両ナビゲーション処理と並行して楽曲の再生処理を実行させる際の操作性をスマートフォン２０にて補うことができるようになる。
【００２９】
なお、前述した車載機器システムでは、車両ナビゲーション処理と並行して楽曲（例えば、ＣＤ）の再生処理がなされる際に、楽曲の再生処理を実行するＡＶユニット１７の操作をスマートフォン２０において可能としたが、例えば、ＡＶユニット１７による処理を優先させて、車両ナビゲーション処理を行うナビゲーションユニット１８の操作をスマートフォン２０において可能とするようにすることもできる。
【００３０】
また、前述した車載機器システムでは、車両ナビゲーション処理と並行して楽曲（例えば、ＣＤ）の再生処理がなされる際の例であったが、車両ナビゲーション処理に限らず表示部１３を利用する他の処理と並行してＡＶユニット１７により楽曲の再生処理がなされる場合も、上述した同様にスマートフォン２０にてＡＶユニット１７の操作を可能にすることもできる。更に、他の２つの処理が並行されて実行される場合、その一方の処理についての操作をスマートフォン２０にて可能にすることもできる。
【００３１】
また、前述した車載機器システムでは、ＡＶユニット１７によって再生可能な楽曲を特定するための楽曲特定情報（楽曲名リスト、アルバム名リスト）が操作基礎情報としてスマートフォン２０に送られたが、この操作基礎情報は、ＡＶユニット１７等のユニットでの処理に用いられる情報を操作入力させるための情報であれば特に限定されず、例えば、検索画面や情報入力画面に係る情報等であってもよい。
【００３２】
また、スマートフォン２０が有線ではなく、無線にて車載機器１００に接続される構成とすることもできる。
【００３３】
更に、載機器１００に通信可能に接続される携帯端末は、スマートフォン２０に限られず、情報処理機能を備えた携帯電話、ＰＤＡ（Personal Digital Assistant）、ハンディパソコン等であってもよい。
【産業上の利用可能性】
【００３４】
以上、説明したように、本発明に係る車載機器システムは、車載機器において表示部を利用する他の処理と並行して処理を実行させる際の操作性を携帯端末にて補うことができるという効果を有し、ＡＶ・ナビゲーション機器等の車載機器とスマートフォン等の携帯端末とが接続された構成となる車載機器システムとして有用である。
【符号の説明】
【００３５】
１１  処理ユニット
１２  操作部
１３  表示部
１４  記憶部
１５  出力回路
１６  スピーカ
１７  ＡＶユニット（１のユニット）
１８  ナビゲーションユニット（他のユニット）
１９  コネクタ
２０  スマートフォン（携帯端末）
１００  車載機器
【図１】
2012154759.tif 000003
【図２】
2012154759.tif 000004
【図３】
2012154759.tif 000005
【図４】
2012154759.tif 000006
【図５】
2012154759.tif 000007
【図６】
2012154759.tif 000008